(57)【要約】      （修正有） 【課題】装飾体の出没動作が安定化されてガタ付きが生じないようにしたアクセサリーの提供。【解決手段】装飾体２と、装飾体２を収容する容器体１と、装飾体２を容器体１に対して出没させる出没機構６と、装飾体２，容器体１の間に形成され装飾体２の出没方向へレール形に延びて装飾体２の出没方向を案内するガイド機構４とを備えている。容器体１は、角筒形に形成されている。ガイド機構４は、装飾体２，容器体１の間の相対する二隅に配置されている。【選択図】図１
0003108598.tif 000002
【実用新案登録請求の範囲】
【請求項１】
装飾体と、装飾体を収容する容器体と、装飾体を容器体に対して出没させる出没機構と、装飾体，容器体の間に形成され装飾体の出没方向へレール形に延びて装飾体の出没方向を案内するガイド機構とを備えたアクセサリにおいて、容器体は角筒形に形成され、ガイド機構は装飾体，容器体の間の相対する二隅に配置されていることを特徴とするアクセサリ。
【請求項２】
請求項１のアクセサリにおいて、ガイド機構は容器体に形成された２条のレールと装飾体に形成されレールにそれぞれ遊嵌合する２つの溝とレールの間に侵入する案内板とからなることを特徴とするアクセサリ。
【請求項３】
請求項２のアクセサリにおいて、ガイド機構の溝，案内板は装飾体を支持する台板に形成され、ガイド機構の案内板は台板から装飾体の出没方向へ延長されていることを特徴とするアクセサリ。
【請求項４】
請求項１〜３のいずれかのアクセサリにおいて、出没機構は装飾体を容器体に没入させるように弾圧付勢するバネとバネに抗して飾体を容器体から進出させる操作紐とからなることを特徴とするアクセサリ。
【請求項５】
請求項４のアクセサリにおいて、出没機構は操作紐を掛けて装飾体の進出の反対側に配線する滑車を備えていることを特徴とするアクセサリ。
【考案の詳細な説明】
【技術分野】
【０００１】
本考案は、ストラップ，根付，キィーホルダ等の装飾部分となるアクセサリに係る技術分野に属する。
【背景技術】
【０００２】
最近、携帯用の機器類の増加や防犯の必要性等から、ストラップ，根付，キィーホルダ等の需要が大きくなってきている。これに伴って、ストラップ，根付，キィーホルダ等に斬新さを構成するために、ストラップ，根付，キィーホルダ等の装飾部分に可動性を備えることが行われるようになってきている。
【０００３】
従来、可動性を備えたアクセサリとしては、例えば、実用新案登録第３０７３９１８号公報に記載のものが知られている。
【０００４】
この従来のアクセサリは、装飾体と、装飾体を収容する円筒形の容器体と、装飾体を容器体に対して出没させる出没機構と、装飾体，容器体の間に形成され装飾体の出没方向へレール形に延びて装飾体の出没方向を案内するガイド機構とを備えている。出没機構は、装飾体を容器体から突出させるように弾圧付勢するバネと、装飾体，容器体の間に形成された係止構造とからなる。
【０００５】
この従来のアクセサリでは、出没構造の係止構造の係止状態を解除することで、出没構造のバネの弾圧によって、装飾体を容器体から急激に突出させるびっくり箱のような動きが奏される。
【考案の開示】
【考案が解決しようとする課題】
【０００６】
前述の従来のアクセサリでは、ガイド機構を微小に形成してガイド機構の複雑化，大型化を回避していることから、実質的に装飾体の回止め機能を奏するのみで装飾体の出没の案内面積が充分に確保されないため、装飾体の出没動作が不安定でガタ付きやすいという問題点がある。
【０００７】
本考案は、このような問題点を考慮してなされたもので、装飾体の出没動作が安定化されてガタ付きが生じないアクセサリを提供することを課題とする。
【課題を解決するための手段】
【０００８】
前述の課題を解決するため、本考案に係るアクセサリは、実用新案登録請求の範囲の各請求項に記載の手段を採用する。
【０００９】
即ち、請求項１では、装飾体と、装飾体を収容する容器体と、装飾体を容器体に対して出没させる出没機構と、装飾体，容器体の間に形成され装飾体の出没方向へレール形に延びて装飾体の出没方向を案内するガイド機構とを備えたアクセサリにおいて、容器体は角筒形に形成され、ガイド機構は装飾体，容器体の間の相対する二隅に配置されていることを特徴とする。
【００１０】
この手段では、装飾体，容器体の隅部自体をガイド機構の一部として利用し隅部にレール形の構造を形成することで、ガイド機構の複雑化，大型化を回避しつつ装飾体の出没の案内面積を拡張する。また、ガイド機構を装飾体，容器体の相対する二隅に限定することで、装飾体，容器体の間に余裕構造を確保する。
【００１１】
また、請求項２では、請求項１のアクセサリにおいて、ガイド機構は容器体に形成された２条のレールと装飾体に形成されレールにそれぞれ遊嵌合する２つの溝とレールの間に侵入する案内板とからなることを特徴とする。
【００１２】
この手段では、ガイド機構がレール，溝，案内板の入合構造となる。
【００１３】
また、請求項３では、請求項２のアクセサリにおいて、ガイド機構の溝，案内板は装飾体を支持する台板に形成され、ガイド機構の案内板は台板から装飾体の出没方向へ延長されていることを特徴とする。
【００１４】
この手段では、装飾体を支持する台板に形成されたガイド機構の装飾体側の部分の一部である案内板にある程度の長さが確保されてガイド機構の容器体側の部分であるレールに広い面積で当接する。
【００１５】
また、請求項４では、請求項１〜３のいずれかのアクセサリにおいて、出没機構は装飾体を容器体に没入させるように弾圧付勢するバネとバネに抗して飾体を容器体から突出させる操作紐とからなることを特徴とする。
【００１６】
この手段では、操作紐の操作によって装飾体が容器体から突出する。
【００１７】
また、請求項５では、請求項４のアクセサリにおいて、出没機構は操作紐を掛けて装飾体の突出の反対側に配線する滑車を備えていることを特徴とする。
【００１８】
この手段では、操作紐の引張により引張の反対方向へ装飾体が突出する。
【考案の効果】
【００１９】
本考案に係るアクセサリは、装飾体，容器体の隅部自体をガイド機構の一部として利用し隅部にレール形の構造を形成することで、ガイド機構の複雑化，大型化を回避しつつ装飾体の出没の案内面積を拡張するため、装飾体の出没動作が安定化されてガタ付きが生じなくなる効果がある。また。ガイド機構を装飾体，容器体の相対する二隅に限定することで、装飾体，容器体の間に余裕構造が確保されるため、装飾体が容器体との間で詰まり状態を呈することがなく、装飾体の出没動作が円滑に奏される効果がある。
【００２０】
さらに、請求項２として、ガイド機構がレール，溝，案内板の入合構造となるため、装飾体の出没動作がより安定化されてガタ付きが生じなくなる効果がある。
【００２１】
さらに、請求項３として、装飾体を支持する台板に形成されたガイド機構の装飾体側の部分の一部である案内板にある程度の長さが確保されてガイド機構の容器体側の部分であるレールに広い面積で当接するため、装飾体の出没動作がより安定化されてガタ付きが生じなくなる効果がある。
【００２２】
さらに、請求項４として、操作紐の操作によって装飾体が容器体から突出するため、前述の従来例のようなびっくり箱ではなく、主体的な操作感を味わうことができる効果がある。
【００２３】
さらに、請求項５として、操作紐の引張により引張の反対方向へ装飾体が突出するため、非予測的な可動性が得られる効果がある。
【考案を実施するための最良の形態】
【００２４】
以下、本考案に係るアクセサリを実施するための最良の形態を図面に基づいて説明する。
【００２５】
この形態では、図１，図２に示すように、容器体１の上部に装飾体２が突出されるものを示してある。
【００２６】
この形態は、装飾体２が台板３に載せられて容器体１の内部に収容される構成となっている。
【００２７】
容器体１は、角筒形に形成されてなるもので、上面に装飾体２が通過する大きな出没孔１１が開口され、下面に後述の出没機構６の操作紐６５が挿通される小さな挿通孔１２が開口され、側部の外側上部にストラップ，根付，キィーホルダ等として構成するための取付紐，手提紐，鎖，キィーリング等が取付けられる取付孔１３が形成されている。この容器体１の製造手段としては、合成樹脂材により成形された２つの三角筒の半部１４，１５を接着剤１６で接合して角筒形にする工作が採用される。
【００２８】
装飾体２は、容器体１の高さの約半分程度の背高を有する立体物からなる。装飾体２の具体例としては、キャラクタ人形，幾何学造形物，天然物が挙げられる。
【００２９】
台板３は、装飾体２を載せる平板なほぼ正方形の板材からなる。台板３の大きさは、容器体１の横断面形の大きさよりも少し小さく設定されている。
【００３０】
これ等の容器体１，台板３の間には、ガイド機構４，滑機構５，出没機構６が形成されている。
【００３１】
ガイド機構４は、装飾体２の出没方向（上下方向）へレール形に延びて装飾体２の容器体１に対する出没方向を案内するもので、レール４１，溝４２，案内板４３からなる。レール４１は、容器体１の内部の相対する二隅（半部１４，１５が接合された隅部でなない）に上下に延びた２条の突出片からなる。溝４２は、台板３の相対する二角に２条のレールに対応したコ字形の２つの切込みからなる。案内板４３は、２つの溝４２の間に突出して台板３の相対する二角の間で連続して下方に延び、台板３とともに断面Ｔ字形を形成している（図３参照）。案内板４３，台板３は、合成樹脂樹脂材による成形等により一体的に形成されている。
【００３２】
滑機構５は、ガイド機構４の機能を助勢して装飾体２の容器体１に対する出没を円滑化させるもので、曲面突起５１，曲面角５２からなる。曲面突起５１は、容器体１の内部の相対する他の二隅（半部１４，１５が接合された）に上下に延びた突出ブロックからなる。曲面角５２は、台板３の相対する他の二角に丸め加工されている。なお、曲面突起５１は、容器体１の半部１４，１５の接合面積の確保に寄与している。
【００３３】
出没機構６は、装飾体２を容器体１に対して出没を駆動させるもので、容器体１の内部の台板３の下方に配置されたバネ６１，バネ受６２，滑車６３，滑車受６４，操作紐６５からなる。バネ６１は、装飾体２を容器体１に没入させるように弾圧付勢するもので、軸線が上下方向に配置された引圧力のコイルスプリングからなる。バネ受６２は、容器体１に一方の半部１４の下端部付近とガイド機構４の案内板４３の上端部付近とから突出されてバネ６１の端末が係止されるシャフトからなる。滑車６３は、ガイド機構４の案内板４３を介してバネ６１とは反対側の容器体１の内部の上部に収容されて軸線が横方向に設定されている。滑車受６４は、滑車６３を回動可能に支持するシャフト６４ａと、容器体１の半部１４，１５からそれぞれ突出してシャフト６４ａ支持するシャフト受６４ｂとからなる。操作紐６５は、ガイド機構４の案内板４３の下端付近に連結され、滑車６３に掛けられて容器体１の挿通孔１２から外部に引出されている。
【００３４】
この形態によると、通常時には、出没機構６のバネ６１の弾圧によって装飾体２が容器体１の内部に没入されている。ただし、出没機構６の操作紐６５を引張することにより、出没機構６のバネ６１の弾圧に抗してガイド機構４の案内板４３を上昇させ、案内板４３と一体に上昇する台板３に載った装飾体２を容器体１の出没孔１１から突出させることができる。なお、出没機構６の操作紐６５を引張を解除すると、出没機構６のバネ６１の弾圧によってガイド機構４の案内板４３が降下され、案内板４３と一体に降下する台板３に載った装飾体２が容器体１の出没孔１１から没入されることになる。
【００３５】
従って、バネ材の弾圧力で急激に装飾体２を突出させる単なるびっくり箱とは異なり、出没機構６の操作紐６５を介して主体的な操作感を味わうことができる。また、出没機構６の操作紐６５の操作方向と装飾体２の突出方向とが逆であるため、非予測的な可動性が得られる。
【００３６】
さらに、この形態の装飾体２の出没動作では、容器体１が角筒形で台板３が正方形であることから、装飾体２（台板３），容器体１の隅部（角部）自体を容器体１に対する出没方向を案内するガイド機構４の一部として利用し、装飾体２（台板３），容器体１の隅部（角部）隅部にガイド機構４を形成することで、ガイド機構４の複雑化，大型化を回避しつつ装飾体２の出没の案内面積が拡張される。このため、装飾体２の出没動作が安定化されてガタ付きが生じなくなる。また、ガイド機構４がレール４１，溝４２，案内板４３の入合構造となるため、装飾体２の無駄な動きが抑制されて、装飾体２の出没動作がより安定化されてガタ付きが生じなくなる。
【００３７】
さらに、ガイド機構４を装飾体２（台板３），容器体１の相対する二隅の隅部（角部）に限定することで、装飾体２，容器体１の間に必要以上に緊密状態とならない余裕構造が確保されている。このため、装飾体２が容器体１との間で詰まり状態を呈することがなく、装飾体２の出没動作が円滑に奏される。なお、ガイド機構４を装飾体２（台板３），容器体１の相対する他の二隅の隅部（角部）に曲面で当接する滑機構５が設けられていることも、装飾体２の出没動作を円滑にすることに役立っている。
【００３８】
以上、図示した各例の外に、装飾体２を容器体１の側方に出没させることも可能である。
【産業上の利用可能性】
【００３９】
本考案に係るアクセサリは、ストラップ，根付，キィーホルダ等の装飾部分以外に単独のおもちゃ等としても実施することができる。
【図面の簡単な説明】
【００４０】
【図１】本考案に係るアクセサリを実施するための最良の形態の斜視図である。
【図２】図１の他動作状態図である。
【図３】図１の拡大縦断面図である。
【図４】図１の図３と直交する面での拡大縦断面図である。
【図５】図２の拡大縦断面図である。
【図６】図３のＸ−Ｘ線断面図である。
【図７】図３のＹ−Ｙ線断面図である。
【図８】図３のＺ−Ｚ線断面図である。
【符号の説明】
【００４１】
１            容器体
２            装飾体
４            ガイド機構
４１          レール
４２          溝
４３          案内板
６            出没機構
６１          バネ
６３          滑車
６５          操作紐
【図１】
0003108598.tif 000003
【図２】
0003108598.tif 000004
【図３】
0003108598.tif 000005
【図４】
0003108598.tif 000006
【図５】
0003108598.tif 000007
【図６】
0003108598.tif 000008
【図７】
0003108598.tif 000009
【図８】
0003108598.tif 000010